(57)【要約】【課題】ラック本体に装着した筐体ユニットの引き出し時に該筐体ユニットの不本意な脱落を防ぐことのできる筐体ユニット収納ラックを提供する。【解決手段】ラック本体に設けられて該ラック本体に装着される筐体ユニットが載置される棚板と、この棚板の前端部に上方に突出して設けられた係合部材と、前記筐体ユニットの底面から突出させて該筐体ユニットの後端部に装着され、前記筐体ユニットを前記ラック本体から前方に向けて所定量引き出したときに前記係合部材に係合して該筐体ユニットの引き出しを阻止と共に、該筐体ユニットの脱落を阻止する被係合部材とを備える。前記係合部材および前記被係合部材は、前記棚板に載置して前記ラック本体に装着された前記筐体ユニットの前記ラック本体からの引き出しを許容する高さを有する。【選択図】      図１
2014216350.tif 000002
【特許請求の範囲】
【請求項１】
ラック本体の前面側から複数の筐体ユニットを個別に着脱自在に装着可能な筐体ユニット収納ラックにおいて、
前記ラック本体における前記筐体ユニットの収納部に設けられて該ラック本体に装着される前記筐体ユニットが載置される棚板と、
この棚板に載置して前記ラック本体に装着された前記筐体ユニットの前記ラック本体からの引き出しを許容する高さを有し、前記棚板の前端部に上方に突出して設けられた係合部材と、
前記筐体ユニットの底面から突出させて該筐体ユニットの後端部に装着され、前記筐体ユニットを前記ラック本体から前方に向けて所定量引き出したときに前記係合部材に係合して該筐体ユニットの引き抜きを阻止する被係合部材と
を具備したことを特徴とする筐体ユニット収納ラック。
【請求項２】
前記筐体ユニットは、該筐体ユニットの下面と前記棚板との間に所定の隙間を形成する脚部を備えたものであって、
前記係合部材および前記被係合部材は、前記筐体ユニットの下面と前記棚板との間の隙間の幅よりも突出量が小さいものである請求項１に記載の筐体ユニット収納ラック。
【請求項３】
前記係合部材は、前記棚板の前端部に着脱自在に装着されるものであって、
前記筐体ユニットを前記棚板に載置して前記ラック本体に装着した後に前記棚板に装着される請求項１に記載の筐体ユニット収納ラック。
【請求項４】
前記係合部材および前記被係合部材は、前記棚板に載置された前記筐体ユニットが前記ラック本体から前方に向けて所定量引き出されたときに当接し、前記棚板から引き出された前記筐体ユニットが自重により前傾したときには係合して、その係合状態を保つ構造を有する請求項１に記載の筐体ユニット収納ラック。
【請求項５】
前記係合部材は、幅方向に延びるスリット状の孔部を備えた板体からなり、前記被係合部材は、前記孔部に嵌合する片部を備えた板体からなる請求項１に記載の筐体ユニット収納ラック。
【請求項６】
前記係合部材が備える前記孔部および前記被係合部材が備える片部は、該前記係合部材および前記被係合部材の幅方向に沿って複数個所に設けられる請求項５に記載の筐体ユニット収納ラック。
【請求項７】
前記係合部材は、前記棚板の前方に突出し、前記筐体ユニットの前傾時に該筐体ユニットの後部下面に当接して前記係合部材と前記被係合部材との係合状態を保つ突出片を備えたものである請求項１に記載の筐体ユニット収納ラック。
【請求項８】
前記脚部は、前記棚板上での前記筐体ユニットの前記ラック本体の奥行き方向への移動を可能とするレール状のものである請求項２に記載の筐体ユニット収納ラック。
【発明の詳細な説明】
【技術分野】
【０００１】
本発明は、ラック本体に装着した筐体ユニットの引き出し時に該筐体ユニットの不本意な脱落を防ぐことのできる筐体ユニット収納ラックに関する。
【背景技術】
【０００２】
例えば無停電電源装置等の電力設備においては、その基本単位である電力変換ユニット等の複数の筐体ユニットを上下に積み重ねて筐体ユニット収納ラックに収納して構築することが多い。ちなみにこの種の筐体ユニット収納ラックは、例えばＥＩＡ規格に準拠した、いわゆる１９インチサイズのものからなる。また前記無停電電源装置においては、高さが７インチ（略１７９ｍｍ）の４Ｕサイズの複数の筐体ユニットを上下に積み重ねて収容可能な、例えば高さが略１９０ｃｍ（４２Ｕ）程度の大型の筐体ユニット収納ラックを用いることも多い。尚、上記４Ｕサイズとは、高さが１.７５インチ（略４４.４５ｍｍ）として定められた基本ユニットサイズ（１Ｕ）の４倍の高さを有する筐体ユニットの大きさを指す。
【０００３】
ところで筐体ユニット収納ラックに収納した前記筐体ユニットのメンテナンスは、一般的には前記筐体ユニットを前記筐体ユニット収納ラックの前面側に引き出して行われる。この際、前記筐体ユニット収納ラックからの前記筐体ユニットの脱落を防止して作業者の安全性を確保することが重要である。そこで従来では、前記筐体ユニット収納ラックからの前記筐体ユニットの引き出し量を制限する等の種々の工夫がなされている。
【０００４】
具体的には前記筐体ユニット収納ラックから前記可動ブラケットが所定量引き出されたときに該可動ブラケットに係合し、それ以上の引き出しを制限する係止部材を設けることが提唱されている（例えば特許文献１を参照）。また前記筐体ユニット収納ラックに設けられて前記筐体ユニットを前後方向に移動可能に支持したレールにストッパを装着することで、前記筐体ユニットの引き出し量を制限することも提唱されている（例えば特許文献２を参照）。
【先行技術文献】
【特許文献】
【０００５】
【特許文献１】特開２００１−１２７４７２号公報
【特許文献２】特開２００９−２１８３２６号公報
【発明の概要】
【発明が解決しようとする課題】
【０００６】
ところで前記筐体ユニットの中には、その重量が略４０ｋｇにも及ぶ重いものがある。また前述した係止部材やストッパ等によって制限される引き出し量以上に前記筐体ユニットを前記筐体ユニット収納ラックから大きく引き出す必要が生じることも多々ある。このような場合、作業者によって前記筐体ユニットを支えることが困難化し、該筐体ユニットが不本意に脱落する虞がある。特に前記ラック本体の上段側に収納された筐体ユニットを前記筐体ユニット収納ラックから引き出すような場合、上述した問題が大きい。
【０００７】
本発明はこのような事情を考慮してなされたもので、その目的は、ラック本体に装着した筐体ユニットの引き出し時に該筐体ユニットの不本意な脱落を防ぐことのできる簡易な構成の筐体ユニット収納ラックを提供することにある。
【課題を解決するための手段】
【０００８】
上述した目的を達成するべく本発明に係る筐体ユニット収納ラックは、ラック本体の前面側から複数の筐体ユニットを個別に着脱自在に装着可能なものであって、
前記ラック本体における前記筐体ユニットの収納部に設けられて該ラック本体に装着される前記筐体ユニットが載置される棚板と、
この棚板に載置して前記ラック本体に装着された前記筐体ユニットの前記ラック本体からの引き出しを許容する高さを有し、前記棚板の前端部に上方に突出して設けられた係合部材と、
前記筐体ユニットの底面から突出させて該筐体ユニットの後端部に装着され、前記筐体ユニットを前記ラック本体から前方に向けて所定量引き出したときに前記係合部材に係合して該筐体ユニットの引き抜きを阻止する被係合部材と
を備えたことを特徴としている。
【０００９】
具体的には前記筐体ユニットは、該筐体ユニットの下面と前記棚板との間に所定の隙間を形成する脚部、例えば前記棚板上での前記筐体ユニットの前記ラック本体の奥行き方向への移動を可能とするレール状の脚部を備える。また前記係合部材および前記被係合部材は、前記脚部により規定される前記筐体ユニットの下面と前記棚板との間の隙間の幅よりも突出量が小さく、前記棚板に載置された前記筐体ユニットの引き出しを許容するものからなる。
【００１０】
好ましくは前記係合部材は、前記棚板の前端部に着脱自在に装着されるものであって、前記筐体ユニットを前記棚板に載置して前記ラック本体に装着した後に前記棚板に装着される。また前記係合部材および前記被係合部材は、前記棚板に載置された前記筐体ユニットが前記ラック本体から前方に向けて所定量引き出されたときに当接し、前記棚板から引き出された前記筐体ユニットが自重により前傾したときには係合して、その係合状態を保つ構造を有する。好ましくは前記係合部材は、幅方向に延びるスリット状の孔部を備えた板体からなり、前記被係合部材は、前記孔部に嵌合する片部を備えた板体からなる。
【００１１】
尚、前記係合部材が備える前記孔部および前記被係合部材が備える片部については、該前記係合部材および前記被係合部材の幅方向に沿って複数個所に設けることが好ましい。
【００１２】
また前記係合部材については、例えば前記棚板の前方に突出し、前記筐体ユニットの前傾時に該筐体ユニットの後部下面に当接して前記係合部材と前記被係合部材との係合状態を保つ突出片を備えることが望ましい。
【発明の効果】
【００１３】
上記構成の筐体ユニット収納ラックによれば、ラック本体から筐体ユニットを引き出す際、該筐体ユニットが前記ラック本体から完全に引き抜かれる前に前記係合部材と被係合部材とが当接する。従って前記筐体ユニットの後端部が前記ラック本体によって支持された状態が保たれるので、該筐体ユニットの不本意な脱落、換言すれば前記筐体ユニットの抜け落ちが防止される。
【００１４】
また前記筐体ユニットの後端部が前記ラック本体によって支持された状態において前記筐体ユニットが自重により前傾したときには、前記係合部材と被係合部材とが係合して、その係合状態が保たれる。この結果、仮に前記筐体ユニットを引き出した作業者による該筐体ユニットの支持力が不本意に弱まったとしても、前記筐体ユニットの脱落自体が前記係合部材と被係合部材との係合力によって阻止される。従って作業者の安全性を十分に確保することが可能となる。
【００１５】
また上述した構成は簡単であり、前記係合部材および前記被係合部材の設備・設置コストも安価であるので、作業者の安全性を確保する上での実用的利点が多大である。
【図面の簡単な説明】
【００１６】
【図１】本発明の一実施形態に係る筐体ユニット収納ラックの要部概略構成を示す斜視図。
【図２】図１に示す筐体ユニット収納ラックにおける筐体ユニットと棚板との関係を示す正面図。
【図３】図１に示す筐体ユニット収納ラックにおける筐体ユニットの装着形態を説明する為の図。
【図４】図１に示す筐体ユニット収納ラックにおける筐体ユニットの脱落防止作用を説明する為の図。
【発明を実施するための形態】
【００１７】
以下、図面を参照して本発明の一実施形態に係る筐体ユニット収納ラックについて説明する。
【００１８】
この筐体ユニット収納ラック１は、前述したＥＩＡ規格に準拠したラックに好適なものであって、図１にその要部概略構成を示し、また図２に取り付け構造を示すように、ラック本体２における筐体ユニット３の収納部に設けられて該ラック本体２に装着される棚板４を備える。この棚板４は、図２に示すようにその両側端部を前記ラック本体２の側壁構造体２ａ,２ａにそれぞれ固定して設けられる。前記棚板４は、前記側壁構造体２ａ,２ａ間を架橋して前記筐体ユニット３を載置して収納する支持台としての役割を担う。
【００１９】
一方、前記筐体ユニット３は、例えばその内部に電力変換器等を収納した４Ｕ（１Ｕ＝４４．４５ｍｍ）サイズのものからなり、その下面（底面）両側部に、奥行き方向に沿って延びるレール状の一対の脚部３ａ,３ａを備える。これらの一対のレール状の脚部３ａ,３ａは、前記棚板４上での前記筐体ユニット３のスライドを可能とする役割を担う。前記一対のレール状の脚部３ａ,３ａにより、前記筐体ユニット３はその収納姿勢を保ったまま前記棚板４上を奥行き方向に移動可能に支持される。
【００２０】
ここで本筐体ユニット収納ラック１が特徴とするところは、前記棚板４の上方に突出させて該棚板４の前端部に着脱自在に設けられた係合部材５を備える点にある。この係合部材５は、前記ラック本体２に装着された前記筐体ユニット３の前記ラック本体２からの引き出しを許容する高さを有する板体からなる。具体的には前記係合部材５は、前記脚部３ａ,３ａによって規定される前記筐体ユニット３の下面と前記棚板４との間の隙間の幅よりも前記棚板４の上面側への突出量が小さい高さの係合片５ａを備える。
【００２１】
尚、前記係合片５ａは、前記棚板４の幅方向に複数個（この例では２個）設けられている。また前記係合片５ａの上端部は、前記棚板４の奥部に向けて略９０°に折曲形成されている。更に前記係合部材５は、前記棚板４の前方に所定量突出する突出片５ｂを備えている。この突出片５ｂは、前記棚板４から引き出した前記筐体ユニット３の前傾時に該筐体ユニット３の後部下面に当接し、前記係合片５ａと後述する被係合部材との係合状態を保つ役割を担う。
【００２２】
一方、前記筐体ユニット３の後端部には、該筐体ユニット３の下面（底面）から突出させて前記係合部材５に対応する被係合部材６が装着される。この被係合部材６は、前記筐体ユニット３の前記ラック本体２からの引き出しを許容する高さを有する板体からなる。そして前記被係合部材６には、前記係合部材５と係合したときに前記係合片５ａと嵌合するスリット状の孔部６ａが設けられている。
【００２３】
ちなみに前記被係合部材６も前記係合部材５と同様に、前記脚部３ａ,３ａによって規定される前記筐体ユニット３の下面と前記棚板４との間の隙間の幅よりも前記棚板４の上面側への突出量が小さい高さのものからなる。従って前記筐体ユニット３は、前記係合部材５および前記被係合部材６に邪魔されることなく前記棚板４上をスライド移動可能である。そして前記筐体ユニット３は前記棚板４から引き出された際、前記係合部材５と前記被係合部材６との当接により、該筐体ユニット３の後端部が前記棚板４の前端部に支持された状態で、それ以上の引き出し、即ち、引き抜きが阻止される。
【００２４】
尚、前記係合部材５は、上述したように前記被係合部材６との係合によって前記筐体ユニット３の引き抜きを阻止する。従って前記ラック本体２における前記棚板４上の収納空間に、前記筐体ユニット３を持ち上げて収納する上での高さの余裕がない場合、逆に前記係合部材５は筐体ユニット３の収納の邪魔になる。従ってこのような場合には、図３に示すように前記係合部材５を取り外した状態において前記棚板４の奥部まで前記筐体ユニット３を収納する。そしてこの状態で、前記棚板４の前端部に前記係合部材５を装着するようにすれば良い。
【００２５】
ここで前記係合部材５と前記被係合部材６とによる前記筐体ユニット３の脱落阻止作用について、図４を参照して説明する。前記筐体ユニット３を前記棚板４上から引き出すと、前記筐体ユニット３の後端部が前記棚板４の前端部に至ったとき、図４(ａ)に示すように前記被係合部材６が前記係合部材５に当接する。そして前記係合片５ａの前述した如く折り曲げられている先端部が前記被係合部材６のスリット状の孔部６ａに嵌入する。従って前記筐体ユニット３は、その後端部が前記棚板４の前端部に支持された状態で前記棚板４からの引き抜き、ひいてはその脱落が阻止される。
【００２６】
この状態で前記筐体ユニット３を支持する力が損なわれ、これによって前記筐体ユニット３が図４(ｂ)に示すように前傾すると、前記係合片５ａの先端部が前記被係合部材６の孔部６ａに大きく入り込みながら勘合する。そして前記筐体ユニット３は、前記係合部材５と前記被係合部材６との係合位置を支点として更に倒れ込む。
【００２７】
その後、前記筐体ユニット３が略沿直方向まで倒れ込むと、図４(ｃ)に示すように該筐体ユニット３の下面（底面）の奥部が前記係合部材５の前述した突出片５ｂの先端部に当接する。すると前記筐体ユニット３は、前記突出片５ｂとの当接によってそれ以上の倒れ込みが阻止される。そしてこの状態においては、図４(ｃ)に示すように前記係合片５ａの全体が前記被係合部材６の孔部６ａに完全に嵌合した状態となり、前記筐体ユニット３は前記係合部材５および前記被係合部材６を介して前記棚板４の前端部に吊下げられた状態となる。従って前記筐体ユニット３の前記棚板４からの脱落が阻止される。
【００２８】
しかもこの状態においては、図４(ｃ)に示すように前記係合片５ａの全体が前記被係合部材６の孔部６ａに完全に嵌合し、且つ前記筐体ユニット３の下面（底面）が前記突出片５ｂに当接した状態となる。従って、仮にこの状態で前記筐体ユニット３を持ち上げても、前記係合片５ａの先端部が前記被係合部材６に当接して前記係合片５ａと前記孔部６ａとの嵌合解除を阻止するので、その嵌合状態が不本意に解除される虞がない。
【００２９】
従って本発明に係る筐体ユニット収納ラック１によれば、前記筐体ユニット３の不本意な脱落を確実に防止することが可能となる。故に前記ラック本体２から前記筐体ユニット３を引き出して該筐体ユニット３のメンテナンスを行う作業者の安全性を十分に確保することができる。更には前述したように、新たに前記係合部材５と前記被係合部材６とを設けるだけで良く、筐体ユニット収納ラック１としての構成が簡素である。また前記係合部材５および前記被係合部材６の設備・設置コストも安価であるので、その実用的利点が多大である。
【００３０】
尚、本発明は上述した実施形態に限定されるものではない。例えば前記被係合部材６については、予め前記筐体ユニット３に一体に設けておくことも可能であり、適宜、前記筐体ユニット３に装着されるものであっても良い。また前記係合部材５についても、前記棚板４上の収納空間の高さが、前記筐体ユニット３の高さよりも十分に高い場合には、予め前記棚板４の前端部に固定的に設けておくことも可能である。
【００３１】
更には前記係合片５ａを幅方向に複数個設けておけば、前記筐体ユニット３の重心位置の偏りに起因して該筐体ユニット３がその幅方向に傾きながら倒れ込む事態を防ぐことができる。従って前記係合片５ａと孔部６ａとの嵌合を確実なものとし、その不本意な嵌合解除も確実に防止することが可能となる。また前記係合部材５と前記被係合部材６との係合構造についても種々変形可能なことは言うまでもない。その他、本発明はその要旨を逸脱しない範囲で種々変形して実施することができる。
【符号の説明】
【００３２】
１  筐体ユニット収納ラック
２  ラック本体
２ａ  側壁構造体
３  筐体ユニット
３ａ  脚部
４  棚板
５  係合部材
５ａ  係合片
５ｂ  突出片
６  被係合部材
６ａ  孔部
【図１】
2014216350.tif 000003
【図２】
2014216350.tif 000004
【図３】
2014216350.tif 000005
【図４】
2014216350.tif 000006